(57)【要約】【課題】通信カードの通信制御手段が暴走したときに、通信カードにおける消費電力が増大した状態を速やかに停止する。【解決手段】通信カード２は、通信コントローラ４が何らかの原因により暴走している旨を検出すると、ＳＴＳＣＨＧ信号をハイレベルからロウレベルに切替え、ホスト３は、通信カード用動作電力供給部１０から通信コントローラ４に動作電力を供給させている途中でＳＴＳＣＨＧ信号がハイレベルからロウレベルに切替わった旨を検出し、そのＳＴＳＣＨＧ信号の変化が通信コントローラ４の暴走に起因するものである旨を検出すると、通信カード用動作電力供給部１０から通信コントローラ４への動作電力の供給を停止する。【選択図】  図１
2004326334.tif 000002
【特許請求の範囲】
【請求項１】
待受動作を実行可能に構成されると共に着信などにより状態が正常に変化したときに状態変化信号の出力を変化させる通信制御手段を備えた通信カードと、
前記通信カードを装着可能に構成され、前記通信制御手段から状態変化信号を入力するホスト制御手段と、前記通信制御手段が待受動作を実行するための動作電力を当該通信制御手段に供給する通信カード用動作電力供給手段とを備えたホストとを具備した通信カードシステムであって、
前記通信制御手段が暴走しているか否かを検出する暴走検出手段を備え、
前記暴走検出手段は、前記通信制御手段が暴走している旨を検出したときには、前記通信制御手段から出力されて前記ホスト制御手段に入力されている状態変化信号を変化させ、
前記ホスト制御手段は、前記通信カード用動作電力供給手段から前記通信制御手段に動作電力を供給させている途中で前記通信制御手段から入力されている状態変化信号が変化された旨を検出し、その状態変化信号の変化が前記暴走検出手段に起因するものである旨を検出したときには、前記通信カード用動作電力供給手段から前記通信制御手段への動作電力の供給を停止させることを特徴とする通信カードシステム。
【請求項２】
請求項１に記載した通信カードシステムにおいて、
前記ホスト制御手段は、前記通信カード用動作電力供給手段から前記通信制御手段に動作電力を供給させている途中で前記通信制御手段から入力されている状態変化信号が変化された旨を検出したときには、前記通信制御手段との間でデータ通信が正常に実行可能であるか否かを判定し、前記通信制御手段との間でデータ通信が正常に実行可能でない旨を検出することにより、その状態変化信号の変化が前記暴走検出手段に起因するものである旨を検出することを特徴とする通信カードシステム。
【請求項３】
ホストに装着可能に構成され、待受動作を実行可能に構成されると共に着信などにより状態が正常に変化したときに状態変化信号の出力を変化させる通信制御手段を備えた通信カードであって、
前記通信制御手段が暴走しているか否かを検出する暴走検出手段を備え、
前記暴走検出手段は、前記通信制御手段が暴走している旨を検出したときには、前記通信制御手段から出力されて前記ホストに入力されている状態変化信号を変化させることを特徴とする通信カード。
【請求項４】
通信カードを装着可能に構成され、前記通信カードから状態変化信号を入力するホスト制御手段と、前記通信カードが待受動作を実行するための動作電力を当該通信カードに供給する通信カード用動作電力供給手段とを備えたホストであって、
前記ホスト制御手段は、前記通信カード用動作電力供給手段から前記通信カードに動作電力を供給させている途中で前記通信カードから入力されている状態変化信号が変化された旨を検出し、その状態変化信号の変化が前記通信カードの通信制御手段の暴走に起因するものである旨を検出したときには、前記通信カード用動作電力供給手段から前記通信カードへの動作電力の供給を停止させることを特徴とするホスト。
【発明の詳細な説明】
【０００１】
【発明の属する技術分野】
本発明は、待受動作を実行可能に構成されると共に着信などにより状態が正常に変化したときに状態変化信号の出力を変化させる通信カードと、前記通信カードから状態変化信号を入力するホストとを具備した通信カードシステム、前記通信カードシステム内で用いられる通信カードおよびホストに関する。
【０００２】
【従来の技術】
近年、ＰＣカード型の通信カードが普及しており、待受動作を実行可能なものも普及している。この場合、待受動作を実行可能な通信カードがホスト（カード装着機器）に正常に装着されているときには、ホストにおいて、ホストコントローラは、通信カードの通信コントローラが待受動作を実行するための動作電力を通信コントローラに供給させる一方で、通信コントローラの待受動作時間を長くすることを目的として、低消費電力動作モードで動作するか、または、自己の動作電力をオフするようになっている。そして、ホストコントローラは、通信コントローラが着信を検出したことに伴って通信コントローラから入力されている状態変化信号が変化した旨を検出することにより、低消費電力動作モードから通常動作モードに切替えて、または、自己の動作電力をオンして（起動して）、所定の着信処理を実行するようになっている。
【０００３】
ところで、通信コントローラが待受動作を実行している途中で何らかの原因により暴走してしまうと、これ以降、通信コントローラが正常な動作を実行することが不可能となり、通信カードにおける消費電力が増大した状態を継続することになる。
【０００４】
【発明が解決しようとする課題】
しかしながら、従来の構成では、ホストコントローラは、通信コントローラが暴走している旨を検出することが不可能であるので、通信コントローラが暴走した場合に、通信コントローラの暴走を停止させることが不可能であり、通信カードにおける消費電力が増大した状態を停止させることが不可能である。そのため、ホストが例えば携帯情報機器や車載機器などのバッテリからの電力を動作電力とする構成では、ユーザが知らないうちにバッテリの電力が急激に低下し、場合によっては、バッテリの電力が枯渇してしまうという問題がある。
【０００５】
このような問題に対しては、ホストコントローラが通信カードにおける消費電力を常時監視する方法が考えられるが、この方法では、ホストコントローラが通信カードにおける消費電力を常時監視するための動作電力を必要とするので、ホストコントローラ自体が電力を消費することにより、通信コントローラの待受動作時間を長くすることができなくなる。
【０００６】
本発明は、上記した事情に鑑みてなされたものであり、その目的は、通信カードの通信制御手段が暴走したとしても、その通信制御手段の暴走を速やかに停止させることにより、通信カードにおける消費電力が増大した状態を速やかに停止させることができ、システム全体の電力を有効に利用することができる通信カードシステム、通信カードおよびホストを提供することにある。
【０００７】
【課題を解決するための手段】
請求項１に記載した通信カードシステムによれば、通信カードにおいて、暴走検出手段は、通信カードの通信制御手段が暴走している旨を検出すると、通信制御手段から出力されてホスト制御手段に入力されている状態変化信号を変化させ、ホストにおいて、ホスト制御手段は、通信カード用動作電力供給手段から通信制御手段に動作電力を供給させている途中で通信制御手段から入力されている状態変化信号が変化された旨を検出し、その状態変化信号の変化が暴走検出手段に起因するものである旨を検出すると、通信カード用動作電力供給手段から通信制御手段への動作電力の供給を停止させる。
【０００８】
これにより、通信カードの通信制御手段が何らかの原因により暴走したとしても、通信カード用動作電力供給手段から通信制御手段への動作電力の供給を速やかに停止させるようになるので、通信制御手段への動作電力の供給を速やかに停止させて通信制御手段の暴走を速やかに停止させることにより、通信カードにおける消費電力が増大した状態を速やかに停止させることができ、システム全体の電力を有効に利用することができる。しかも、この場合は、元々は通信カードが着信などにより状態が正常に変化した旨をホストに通知するための状態変化信号を利用し、通信制御手段が暴走したときに、状態変化信号を変化させることにより、通信制御手段が暴走した旨をホストに通知するように構成したので、通信カードとホストとの間のインタフェースの仕様を何ら変更する旨を不要として実現することができる。
【０００９】
請求項２に記載した通信カードシステムによれば、ホストにおいて、ホスト制御手段は、通信カード用動作電力供給手段から通信制御手段に動作電力を供給させている途中で通信制御手段から入力されている状態変化信号が変化された旨を検出すると、通信制御手段との間でデータ通信が正常に実行可能であるか否かを判定し、通信制御手段との間でデータ通信が正常に実行可能でない旨を検出することにより、その状態変化信号の変化が暴走検出手段に起因するものである旨を検出する。これにより、元々は通信カードとホストとの間でデータ通信を実行するためのリソース（資源）を利用することにより、新たな構成を追加する旨を不要として通信制御手段が暴走しているか否かを適切に検出することができる。
【００１０】
請求項３に記載した通信カードによれば、暴走検出手段は、通信カードの通信制御手段が暴走している旨を検出すると、通信制御手段から出力されてホスト制御手段に入力されている状態変化信号を変化させる。これにより、上記した請求項１または２に記載した通信カードシステム内のホストと組合わせて利用することにより、上記した請求項１または２に記載したものと同様の作用効果を得ることができ、すなわち、通信カードの通信制御手段が何らかの原因により暴走したとしても、通信カードにおける消費電力が増大した状態を速やかに停止させることができ、システム全体の電力を有効に利用することができ、しかも、通信カードとホストとの間のインタフェースの仕様を何ら変更する旨を不要として実現することができる。
【００１１】
請求項４に記載したホストによれば、ホスト制御手段は、通信カード用動作電力供給手段から通信制御手段に動作電力を供給させている途中で通信カードから入力されている状態変化信号が変化された旨を検出し、その状態変化信号の変化が通信カードの通信制御手段の暴走に起因するものである旨を検出すると、通信カード用動作電力供給手段から通信カードへの動作電力の供給を停止させる。これにより、上記した請求項１または２に記載した通信カードシステム内の通信カードと組合わせて利用することにより、この場合も、上記した請求項１または２に記載したものと同様の作用効果を得ることができ、すなわち、通信カードの通信制御手段が何らかの原因により暴走したとしても、通信カードにおける消費電力が増大した状態を速やかに停止させることができ、システム全体の電力を有効に利用することができ、しかも、通信カードとホストとの間のインタフェースの仕様を何ら変更する旨を不要として実現することができる。
【００１２】
【発明の実施の形態】
（第１実施例）
以下、本発明を、車両に搭載可能に構成された通信カードシステムに適用した第１実施例について、図１および図２を参照して説明する。図１は、通信カードシステムの全体構成を機能ブロック図により示している。通信カードシステム１において、ＰＣカード型通信カード（以下、通信カードと略称する）２（本発明でいう通信カード）は、車両に搭載されたＰＣカードホスト（以下、ホストと略称する）３（本発明でいうホスト）に対して着脱可能に構成されている。
【００１３】
通信カード２は、通信コントローラ４（本発明でいう通信制御手段）、ウオッチドックタイマ５（本発明でいう暴走検出手段）、ＰＣカードインタフェース部６、第１のＯＲ回路７および第２のＯＲ回路８を備えて構成されている。また、ホスト３は、ホストコントローラ９（本発明でいうホスト制御手段）、通信カード用動作電力供給部１０（本発明でいう通信カード用動作電力供給手段）、ホストコントローラ動作制御部１１およびＰＣカードインタフェース部１２を備えて構成されている。
【００１４】
通信カード２において、通信コントローラ４は、マイクロコンピュータを主体として構成されており、通信カード２の動作全般を制御する。この場合、通信コントローラ４は、通信カード２がホスト３に対して正常に装着されている状態では、ホスト３の通信カード用動作電力供給部１０から動作電力が供給されることにより、待受動作を実行可能になっている。そして、通信コントローラ４は、待受動作を実行しているときには、ハイレベルのＳＴＳＣＨＧ（カードステータス変更）信号（本発明でいう状態変化信号）を第２のＯＲ回路８の一方の入力端子に出力しており、待受動作を実行している途中で例えば着信などにより状態が正常に変化した旨を検出すると、ＳＴＳＣＨＧ信号をハイレベルからロウレベルに切替え、ロウレベルのＳＴＳＣＨＧ信号を第２のＯＲ回路８の一方の入力端子に出力する。
【００１５】
ウオッチドックタイマ５は、通信コントローラ４が正常に動作している状態では、通信コントローラ４からＷＤ＿ＣＬＯＣＫ信号が定期的に入力されるようになっている。この場合、ウオッチドックタイマ５は、通信コントローラ４からＷＤ＿ＣＬＯＣＫ信号が定期的に入力されているときには、ロウレベルのＲＥＳＥＴ＿ＯＵＴ信号を第２のＯＲ回路８の他方の入力端子および第１のＯＲ回路７の一方の入力端子に出力しており、通信コントローラ４が何らかの原因により暴走したことに伴って通信コントローラ４からＷＤ＿ＣＬＯＣＫ信号が定期的に入力されなくなった旨を検出すると、ＲＥＳＥＴ＿ＯＵＴ信号をロウレベルからハイレベルに切替え、ハイレベルのＲＥＳＥＴ＿ＯＵＴ信号を第２のＯＲ回路８の他方の入力端子および第１のＯＲ回路７の一方の入力端子に出力する。
【００１６】
第２のＯＲ回路８は、通信コントローラ４からＳＴＳＣＨＧ信号が入力される入力端子が正論理になっていると共に、ウオッチドックタイマ５からＲＥＳＥＴ＿ＯＵＴ信号が入力される入力端子が負論理になっていると共に、ＳＴＳＣＨＧ信号を出力する出力端子が負論理になっている。
【００１７】
このような構成により、第２のＯＲ回路８は、通信コントローラ４が正常に動作しているとき、つまり、ウオッチドックタイマ５からロウレベルのＲＥＳＥＴ＿ＯＵＴ信号が入力されているときに、通信コントローラ４が例えば着信などにより状態が正常に変化すると、つまり、通信コントローラ４から入力されているＳＴＳＣＨＧ信号がハイレベルからロウレベルに切替わると、ＳＴＳＣＨＧ信号の出力をハイレベルからロウレベルに切替える。また、第２のＯＲ回路８は、通信コントローラ４が待受動作を実行しているとき、つまり、通信コントローラ４からハイレベルのＳＴＳＣＨＧ信号が入力されているときに、通信コントローラ４が何らかの原因により暴走すると、つまり、ウオッチドックタイマ５から入力されているＲＥＳＥＴ＿ＯＵＴ信号がロウレベルからハイレベルに切替わると、この場合も、ＳＴＳＣＨＧ信号の出力をハイレベルからロウレベルに切替える。
【００１８】
ホスト３において、ホストコントローラ９は、マイクロコンピュータを主体として構成されており、ホスト３の動作全般を制御する。この場合、ホストコントローラ９は、通信カード２の第２のＯＲ回路８からハイレベルのＳＴＳＣＨＧ信号が入力されているときには、通信カード用動作電力供給部１０から通信カード２の通信コントローラ４およびＰＣカードインタフェース部６に動作電力を供給させていると共に、通信コントローラ４の待受動作時間を長くすることを目的として、低消費電力動作モードで動作している。そして、ホストコントローラ９は、通信カード２の第２のＯＲ回路８から入力されているＳＴＳＣＨＧ信号がハイレベルからロウレベルに切替わった旨を検出すると、ホストコントローラ動作制御部１１から通常動作指示信号が入力されることにより、低消費電力動作モードから通常動作モードに切替え、通常動作モードで動作する。
【００１９】
また、ホストコントローラ９は、通常動作モードで動作しているときには、ロウレベルのＲＥＳＥＴ信号を通信カード２の第１のＯＲ回路７の他方の入力端子に出力しており、通信カード２のリセットを実行するためのトリガの発生を検出すると、ＲＥＳＥＴ信号をロウレベルからハイレベルに切替え、ハイレベルのＲＥＳＥＴ信号を通信カード２の第１のＯＲ回路７の他方の入力端子に出力する。
【００２０】
第１のＯＲ回路７は、ホスト３のホストコントローラ９からＲＥＳＥＴ信号が入力される入力端子が正論理になっていると共に、ウオッチドックタイマ５からＲＥＳＥＴ＿ＯＵＴ信号が入力される入力端子が正論理になっていると共に、ＲＥＳＥＴ＿ＩＮ信号を出力する出力端子が正論理になっている。
【００２１】
このような構成により、第１のＯＲ回路７は、通信コントローラ４が何らかの原因により暴走すると、つまり、ウオッチドックタイマ５から入力されているＲＥＳＥＴ＿ＯＵＴ信号がロウレベルからハイレベルに切替わると、または、ホスト３のホストコントローラ９にて通信カード２のリセットを実行するためのトリガが発生すると、つまり、ホストコントローラ９から入力されているＲＥＳＥＴ信号がロウレベルからハイレベルに切替わると、ＲＥＳＥＴ＿ＩＮ信号の出力をロウレベルからハイレベルに切替える。これに伴って、通信コントローラ４は、第１のＯＲ回路７から入力されているＲＥＳＥＴ＿ＩＮ信号がロウレベルからハイレベルに切替わった旨を検出すると、所定のリセット動作を実行する。
【００２２】
ＰＣカードインタフェース部６は、通信カード２がホスト３に対して正常に装着されている状態では、ホスト３の通信カード用動作電力供給部１０から動作電力が供給され、ホスト３のＰＣカードインタフェース部１２との間でデータやアドレスを送受信することにより、通信コントローラ４とホストコントローラ９との間のデータ通信を制御する。この場合、ＰＣカードインタフェース部６は、第１のＯＲ回路７から入力されているＲＥＳＥＴ＿ＩＮ信号がロウレベルからハイレベルに切替わった旨を検出すると、所定のリセット動作を実行する。
【００２３】
また、ＰＣカードインタフェース部１２は、通信カード２がホスト３に対して正常に装着されている状態では、通信カード２のＰＣカードインタフェース部６との間でデータやアドレスを送受信することにより、ホストコントローラ９と通信コントローラ４との間のデータ通信を制御する。
【００２４】
次に、上記した構成の作用について、図２を参照して説明する。尚、ここでは、通信カード２がホスト３に対して正常に装着されている状態を前提として説明する。
【００２５】
ホスト３において、ホストコントローラ９は、通信カード２がホスト３に対して正常に装着されている状態では、上記したように低消費電力動作モードで動作しており、通信カード用動作電力供給部１０から通信カード２の通信コントローラ４およびＰＣカードインタフェース部６に動作電力を供給させている。
【００２６】
さて、ホストコントローラ９は、通信カード２の第２のＯＲ回路８から入力されているＳＴＳＣＨＧ信号がハイレベルからロウレベルに切替わったか否かを監視しており（ステップＳ１）、通信カード２の第２のＯＲ回路８から入力されているＳＴＳＣＨＧ信号がハイレベルからロウレベルに切替わった旨を検出すると（ステップＳ１にて「ＹＥＳ」）、ホストコントローラ動作制御部１１から通常動作指示信号が入力されることにより、低消費電力動作モードから通常動作モードに切替え、通常動作モードで動作する（ステップＳ２）。
【００２７】
次いで、ホストコントローラ９は、ＰＣカードインタフェース部１２およびＰＣカードインタフェース部６を通じて通信コントローラ４との間でデータ通信が正常に実行可能であるか否かを判定する（ステップＳ３）。ここで、ホストコントローラ９は、ＰＣカードインタフェース部１２およびＰＣカードインタフェース部６を通じて通信コントローラ４の間でデータ通信が正常に実行可能である旨を検出すると（ステップＳ３にて「ＹＥＳ」）、通信カード２の第２のＯＲ回路８から入力されているＳＴＳＣＨＧ信号がハイレベルからロウレベルに切替わった原因が、第２のＯＲ回路８に入力されているＳＴＳＣＨＧ信号がハイレベルからロウレベルに切替わったこと、つまり、通信コントローラ４の状態が正常に変化したことに因るものであると特定する（ステップＳ４）。
【００２８】
次いで、ホストコントローラ９は、状態変化問合信号を通信コントローラ４に送信し、通信コントローラ４から受信された状態変化応答信号を解析することにより、通信コントローラ４における状態の変化の原因を識別する（ステップＳ５）。ここで、ホストコントローラは、通信コントローラ４における状態の変化の原因が、着信を検出したことに因るものである旨を検出すると（ステップＳ６にて「ＹＥＳ」）、これ以降、所定の着信処理を実行し（ステップＳ７）、所定の通信処理を実行する（ステップＳ８）。また、ホストコントローラ９は、通信コントローラ４における状態の変化の原因が、着信を検出したこと以外に因るものである旨を検出すると（ステップＳ６にて「ＮＯ」）、待受動作指示信号を通信コントローラ４に送信し、通信コントローラ４に待受動作を実行させる（ステップＳ９）。
【００２９】
これに対して、ホストコントローラ９は、低消費電力動作モードから通常動作モードに切替え、通常動作モードで動作した後に、ＰＣカードインタフェース部１２およびＰＣカードインタフェース部６を通じて通信コントローラ４との間でデータ通信が正常に実行可能でない旨を検出すると（ステップＳ３にて「ＮＯ」）、通信カード２の第２のＯＲ回路８から入力されているＳＴＳＣＨＧ信号がハイレベルからロウレベルに切替わった原因が、第２のＯＲ回路８に入力されているＲＥＳＥＴ＿ＯＵＴ信号がロウレベルからハイレベルに切替わったこと、つまり、通信コントローラ４が何らかの原因により暴走したことに因るものであると特定する（ステップＳ１０）。そして、ホストコントローラ９は、通信カード用動作電力供給部１０から通信カード２の通信コントローラ４およびＰＣカードインタフェース部６への動作電力の供給を停止させる（ステップＳ１１）。
【００３０】
以上に説明したように第１実施例によれば、通信カード２において、通信コントローラ４が何らかの原因により暴走している旨を検出すると、ＳＴＳＣＨＧ信号をハイレベルからロウレベルに切替え、ホスト３において、通信カード用動作電力供給部１０から通信コントローラ４に動作電力を供給させている途中でＳＴＳＣＨＧ信号がハイレベルからロウレベルに切替わった旨を検出し、そのＳＴＳＣＨＧ信号の変化が通信コントローラ４の暴走に起因するものである旨を検出すると、通信カード用動作電力供給部１０から通信コントローラ４への動作電力の供給を停止するように構成した。
【００３１】
これにより、通信カード２の通信コントローラ４への動作電力の供給を速やかに停止させて通信コントローラ４の暴走を速やかに停止させることにより、通信カード２における消費電力が増大した状態を速やかに停止させることができ、システム全体の電力を有効に利用することができる。しかも、この場合は、元々は通信コントローラ４が着信などにより状態が正常に変化した旨をホストコントローラ９に通知するためのＳＴＳＣＨＧ信号を利用し、通信カード２が暴走したときに、ＳＴＳＣＨＧ信号をハイレベルからロウレベルに切替えることにより、通信コントローラ４が暴走した旨をホスト３に通知するように構成したので、通信カード２とホスト３との間のインタフェースの仕様を何ら変更する旨を不要として実現することができる。
【００３２】
また、この場合は、ホスト３において、ホストコントローラ９と通信コントローラ４との間でデータ通信が正常に実行可能であるか否かを判定し、データ通信が正常に実行可能でない旨を検出することにより、ＳＴＳＣＨＧ信号の変化が通信コントローラ４の暴走に起因するものである旨を検出するように構成したので、元々は通信カード２とホスト３との間でデータ通信を実行するためのリソース（資源）であるＰＣカードインタフェース部６およびＰＣカードインタフェース部１２を利用することにより、新たな構成を追加する旨を不要として通信カード２が暴走しているか否かを適切に検出することができる。
【００３３】
（第２実施例）
次に、本発明の第２実施例について、図３を参照して説明する。尚、上記した第１実施例と同一部分については説明を省略し、異なる部分について説明する。上記した第１実施例は、ホスト３が通信カード用動作電力供給部１０から通信コントローラ４への動作電力の供給の停止をソフトウェア的に実行するように構成したものであるが、これに対して、この第２実施例は、通信カード用動作電力供給部１０から通信コントローラ４への動作電力の供給の停止をハードウェア的に実行するように構成したものである。
【００３４】
すなわち、図３に示すように、通信カードシステム２１において、ホスト２２は、ホストコントローラ４３、通信カード用動作電力供給部２４、ＡＮＤ回路２５およびＰＣカードインタフェース部１２を備えて構成されている。
【００３５】
ＡＮＤ回路２５は、ホストコントローラ４３から出力されたＣＯＮＴ＿ＩＮ信号が一方の入力端子に入力されると共に、通信カード２の第２のＯＲ回路８から出力されたＳＴＳＣＨＧ信号が他方の入力端子に入力されるように構成されている。この場合、ＡＮＤ回路２５は、ホストコントローラ４３からハイレベルのＣＯＮＴ＿ＩＮ信号が入力されると共に、通信カード２の第２のＯＲ回路８からハイレベルのＳＴＳＣＨＧ信号が入力されているときに、ハイレベルのＣＯＮＴ＿ＯＵＴ信号を通信カード用動作電力供給部２４に出力する。そして、通信カード用動作電力供給部２４は、ＡＮＤ回路２５からハイレベルのＣＯＮＴ＿ＯＵＴ信号が入力されているときに、通信カード２の通信コントローラ４およびＰＣカードインタフェース部６に動作電力を供給している。
【００３６】
ここで、通信カード２の通信コントローラ４が何らかの原因により暴走すると、通信カード２の第２のＯＲ回路８から出力されてＡＮＤ回路２５に入力されているＳＴＳＣＨＧ信号がハイレベルからロウレベルに切替わり、ＡＮＤ回路２５は、通信カード２の第２のＯＲ回路８からロウレベルのＳＴＳＣＨＧ信号が入力されることにより、ＣＯＮＴ＿ＯＵＴ信号をハイレベルからロウレベルに切替え、ロウレベルのＣＯＮＴ＿ＯＵＴ信号を出力する。そして、通信カード用動作電力供給部２４は、ＡＮＤ回路２５からロウレベルのＣＯＮＴ＿ＯＵＴ信号が入力されることにより、通信カード２の通信コントローラ４およびＰＣカードインタフェース部６への動作電力の供給を停止する。
【００３７】
尚、この第２実施例に記載したものは、上記した第１実施例に記載したものとは異なって、通信カード２においては、通信コントローラ４が着信などにより状態が正常に変化した旨をホストコントローラ２３に通知するために、ＳＴＳＣＨＧ信号を利用することは不可能である。
【００３８】
以上に説明したように第２実施例によれば、通信カード２において、通信コントローラ４が何らかの原因により暴走している旨を検出すると、ＳＴＳＣＨＧ信号をハイレベルからロウレベルに切替え、ホスト２２において、通信カード用動作電力供給部２４から通信コントローラ４に動作電力を供給させている途中でＳＴＳＣＨＧ信号がハイレベルからロウレベルに切替わると、通信カード用動作電力供給部２４から通信コントローラ４への動作電力の供給を停止するように構成した。
【００３９】
これにより、上記した第１実施例に記載したものと同様の作用効果を得ることができ、すなわち、通信カード２の通信コントローラ４への動作電力の供給を速やかに停止させて通信コントローラ４の暴走を速やかに停止させることにより、通信カード２における消費電力が増大した状態を速やかに停止させることができ、システム全体の電力を有効に利用することができる。
【００４０】
（その他の実施例）
本発明は、上記した実施例にのみ限定されるものではなく、以下のように変形または拡張することができる。
車両に搭載可能に構成された通信カードシステムに適用する構成に限らず、他の用途に利用される通信カードシステムに適用する構成であっても良い。
ホストコントローラは、通信カードがホストに対して正常に装着されている状態で自己の動作電力をオフし、ＳＴＳＣＨＧ信号がハイレベルからロウレベルに切替わったときに、ホストコントローラ動作制御部から動作指示信号が入力されることにより、自己の動作電力をオンする（起動する）構成であっても良い。
【図面の簡単な説明】
【図１】本発明の第１実施例を示す機能ブロック図
【図２】ホストコントローラが実行する処理を示すフローチャート
【図３】本発明の第２実施例を示す機能ブロック図
【符号の説明】
図面中、１は通信カードシステム、２はＰＣカード型通信カード（通信カード）、３はＰＣカードホスト（ホスト）、４は通信コントローラ（通信制御手段）、５はウオッチドックタイマ（暴走検出手段）、９はホストコントローラ（ホスト制御手段）、１０は通信カード用動作電力供給部（通信カード用動作電力供給手段）である。
【図１】
2004326334.tif 000003
【図２】
2004326334.tif 000004
【図３】
2004326334.tif 000005